(57)【要約】【課題】プレートれんがの交換のために面圧を解除した後に、余分の治具及び作業を必要とすることなく、意図しない面圧の負荷が生じることを防止できるＳＮ装置を提供すること。【解決手段】シリンダー７で面圧バー５を進退させることによってプレートれんが間に面圧を負荷及び解除する面圧負荷機構を備え、プレートれんがが垂直に立つ姿勢としたとき、シリンダー７がプレートれんがの上方に位置するスライディングノズル装置において、面圧負荷機構が、シリンダー７で面圧バー５を前進させることによって面圧を解除し、シリンダー７で面圧バー５を後退させることによって面圧を負荷するようにした。【選択図】図１
2011212702.tif 000002
【特許請求の範囲】
【請求項１】
シリンダーで面圧バーを進退させることによってプレートれんが間に面圧を負荷及び解除する面圧負荷機構を備え、プレートれんがが垂直に立つ姿勢としたとき、シリンダーがプレートれんがの上方に位置するスライディングノズル装置であって、面圧負荷機構が、シリンダーで面圧バーを前進させることによって面圧を解除し、シリンダーで面圧バーを後退させることによって面圧を負荷するスライディングノズル装置。
【請求項２】
面圧負荷機構がコイルスプリングを内蔵したスプリングケースを備え、このスプリングケースにローラを設けると共に、面圧バーに前記ローラと係合する傾斜面を有する係合部を設け、
シリンダーで面圧バーを後退させたときに面圧バーの係合部がローラと係合し、シリンダーで面圧バーを前進させると前記係合が解除されるようにし、
前記係合部の傾斜面の向きを、面圧バーの係合部がローラと係合したときに、スプリングケースがコイルスプリングを圧縮する方向に移動して面圧が負荷されるような向きとした請求項１に記載のスライディングノズル装置。
【発明の詳細な説明】
【技術分野】
【０００１】
本発明はスライディングノズル装置（以下「ＳＮ装置」という。）に関し、とくにシリンダーで面圧バーを進退させることによってプレートれんが間に面圧を負荷及び解除する面圧負荷機構を備え、プレートれんがの交換時に、プレートれんがが垂直に立つ姿勢にすると共に、シリンダーがプレートれんがの上方に位置するスライディングノズル装置に関する。
【背景技術】
【０００２】
取鍋やタンディッシュにおいて、溶鋼の流量を制御するため、ＳＮ装置が一般的に使用されている。このＳＮ装置は、２枚又は３枚のプレートれんがを相対的にスライドさせ、ノズル孔を開閉することにより溶鋼の流量を制御するものである。また、ＳＮ装置では、使用中におけるプレートれんが間からの溶鋼の漏れを防止するため、プレートれんが間に面圧を負荷し、プレートれんがの交換時には、その面圧を解除するようにしている。
【０００３】
このような面圧の負荷及び解除をする面圧負荷解除機構として、面圧バーを利用したものがある（例えば特許文献１）。この面圧負荷解除機構では、面圧バーとシリンダーを連結させ、シリンダーで面圧バーを前進させることによって面圧を負荷し、シリンダーで面圧バーを後退させることによって面圧を解除するようにしている。
【０００４】
ところで、プレートれんがの交換作業は、取鍋等を傾転させて行う。ＳＮ装置は、取鍋等の底面に取り付けられているため、傾転に伴って使用時の姿勢から９０°転回し、プレートれんがが垂直に立つ姿勢とされる。また、上述のとおりシリンダーで面圧バーを進退させることによって面圧の負荷及び解除をするＳＮ装置においては、プレートれんがの交換時には、ＳＮ装置の開閉金枠を開けるために、シリンダーと面圧バーとの連結を解除する必要がある。
【０００５】
このようなＳＮ装置において、プレートれんがの交換時にシリンダーがプレートれんがの上方に位置する場合、シリンダーで面圧バーを後退、すなわち上昇させることによって面圧を解除し、その後シリンダーと面圧バーとの連結を解除することになる。しかし、この場合、面圧解除のために上昇させた面圧バーが、シリンダーとの連結を解除した後に自重によって下降し、再び面圧が負荷されるおそれがある。そのため従来は、面圧解除のために面圧バーを上昇させた後、面圧バーの下降を防止する治具を装着するようにしており、余分の治具及び作業が必要であった。
【先行技術文献】
【特許文献】
【０００６】
【特許文献１】特開平８−１１７９８５号公報
【発明の概要】
【発明が解決しようとする課題】
【０００７】
本発明が解決しようとする課題は、プレートれんがの交換のために面圧を解除した後に、余分の治具及び作業を必要とすることなく、意図しない面圧の負荷が生じることを防止できるＳＮ装置を提供することにある。
【課題を解決するための手段】
【０００８】
本発明に係るＳＮ装置は、シリンダーで面圧バーを進退させることによってプレートれんが間に面圧を負荷及び解除する機構を備え、プレートれんがが垂直に立つ姿勢としたとき、シリンダーがプレートれんがの上方に位置するスライディングノズル装置であって、シリンダーで面圧バーを前進させることによって面圧を解除し、シリンダーで面圧バーを後退させることによって面圧を負荷するものである。
【発明の効果】
【０００９】
本発明に係るＳＮ装置は、プレートれんがの交換時に、シリンダーがプレートれんがの上方に位置するが、シリンダーで面圧バーを前進、すなわち下降させることによって面圧を解除するので、面圧を解除した後にシリンダーと面圧バーとの連結を解除しても、面圧が負荷されることはない。したがって、余分の治具及び作業を必要とすることなく、意図しない面圧の負荷が生じることを防止でき、作業性及び安全性が向上する。
【図面の簡単な説明】
【００１０】
【図１】本発明に係るＳＮ装置の実施例においてプレートれんが間に面圧を負荷した状態を示し、（ａ）は側面図、（ｂ）は底面図である。
【図２】本発明に係るＳＮ装置の実施例においてプレートれんが間の面圧を解除した状態を示し、（ａ）は側面図、（ｂ）は底面図である。
【発明を実施するための形態】
【００１１】
以下、図面に示す実施例に基づき本発明の実施の形態を説明する。
【００１２】
図１及び図２は、本発明に係るＳＮ装置に実施例を示す。図１はプレートれんが間に面圧を負荷した状態、図２は面圧を解除した状態を示し、各図の（ａ）は側面図、（ｂ）は底面図である。なお、上述のとおり、プレートれんがの交換時、ＳＮ装置は、使用時の姿勢から９０°転回されてプレートれんがが垂直に立つ姿勢とされるが、図１及び図２は、そのプレートれんが交換時の姿勢で示している。このとき、後述するシリンダー７はプレートれんがの上方に位置する。
【００１３】
図１及び図２のＳＮ装置においてその面圧負荷機構は、ＳＮ装置の両側部に配置されたスプリングケース１を備える。このスプリングケース１には、スプリング受け２によって一端を支持されたコイルスプリング３が内蔵されている。スプリング受け２はＳＮ装置の金枠に固定されているが、スプリングケース１はコイルスプリング３の伸縮方向に移動可能に設けられている。また、スプリングケース１の両端にはローラ４が設けられている。
【００１４】
スプリングケース１と対向する位置に、面圧バー５が配置されている。両側の面圧バー５は連結具６によって連結され、連結具６に接続されるシリンダー７を伸縮させることにより、ガイドローラ８にガイドされながら進退する。
【００１５】
面圧バー５の両端にはそれぞれ、ローラ４と係合する傾斜面５ｂを有する係合部５ａが設けられている。この係合部５ａは、シリンダー７で面圧バー５を後退させたときにローラ４と係合し（図１の状態）、シリンダー７で面圧バー５を前進させると前記係合が解除される（図２の状態）ように設けられている。
【００１６】
そして、この係合部５ａの傾斜面５ｂの向きは、面圧バー５の係合部５ａがローラ４と係合したときに、スプリングケース１がコイルスプリング３を圧縮する方向に移動して面圧が負荷されるような向きとしている。図１及び図２の例では、スプリングケース１が図中で右方向に移動するとコイルスプリング３が圧縮されるので、係合部５ａの傾斜面５ｂの向きは右斜め下方向としている。
【００１７】
このような構成とすることで、シリンダー７で面圧バー５を後退させたときに係合部５ａがローラ４と係合して面圧が負荷され（図１の状態）、シリンダー７で面圧バー５を前進させると前記係合が解除され、面圧も解除される（図２の状態）。
【００１８】
すなわち、プレートれんがの交換時、面圧が負荷された図１の状態から、面圧が解除された図２の状態にするには、シリンダー７で面圧バー５を前進、すなわち下降させるので、面圧を解除した後にシリンダー７と面圧バー５との連結を解除しても、面圧が負荷されることはない。
【符号の説明】
【００１９】
１  スプリングケース
２  スプリング受け
３  コイルスプリング
４  ローラ
５  面圧バー
５ａ  係合部
５ｂ  傾斜面
６  連結具
７  シリンダー
８  ガイドローラ
【図１】
2011212702.tif 000003
【図２】
2011212702.tif 000004